(57)【要約】  車載ディスプレイ３０を通じて、充電ステーションの存在位置を表す情報が、その充電ステーションでクリーン電力を充電することができるか否かを表す情報とともに、電動車両Ｖの乗員に提供されるように、情報提供装置が構成される。したがって、電動車両Ｖの乗員は、提供された充電ステーションの位置情報およびクリーン度に基づいて、クリーン電力を含む電力を充電することができる充電ステーションに向かい、そこでクリーン電力を含む電力を充電することができる。こうしてクリーン電力を含む電力を電動車両Ｖに充電することにより、電動車両Ｖに充電される電力としてのクリーン電力の需要を増加させることができる。
2013024521.tif 000002
【特許請求の範囲】
【請求項１】
電動車両の充電に関する情報を提供する充電情報提供装置であって、
電動車両を充電することができる充電ステーションを表す充電ステーション情報を、その充電ステーションで充電することができる電力が環境に与える負荷が低い発電方式として定義される発電方式により発電されたクリーン電力を含むか否かを表す情報であるクリーン電力情報とともに、電動車両の乗員に提供する、充電情報提供装置。
【請求項２】
請求項１に記載の充電情報提供装置において、
前記充電ステーション情報は前記充電ステーションの存在位置を表す情報を含み、
地図を表示可能な表示装置に表示される地図上における前記充電ステーションの存在位置に、電動車両が充電可能な場所であることを表す充電可能標識を、その充電ステーションについての前記クリーン電力情報とともに表示することにより、前記充電ステーション情報を前記クリーン電力情報とともに電動車両の乗員に提供する、充電情報提供装置。
【請求項３】
請求項２に記載の充電情報提供装置において、
目的地までの電動車両の走行経路であってクリーン電力を含む電力を充電することができる充電ステーションであるクリーン電力充電ステーションを通過するクリーン電力充電優先走行経路を検索し、
前記表示装置に表示された地図上に前記クリーン電力充電優先走行経路を表示する、充電情報提供装置。
【請求項４】
請求項１乃至３のいずれか１項に記載の充電情報提供装置において、
前記クリーン電力情報は、電動車両の充電に用いる電力に対するクリーン電力の占める割合を表すクリーン度である、充電情報提供装置。
【請求項５】
請求項４に記載の充電情報提供装置において、
電動車両が乗員の自宅までの帰路を走行中であるときに、電動車両の乗員の自宅で電動車両を充電するときに用いる電力に対するクリーン電力の割合を表す自宅クリーン度よりも高いクリーン度で表わされる電力を電動車両に充電可能な高クリーン度充電ステーションを検索し、
地図を表示可能な表示装置に表示される地図上における前記高クリーン度充電ステーションの存在位置に、電動車両が充電可能な場所であることを表す充電可能標識を、その高クリーン度充電ステーションについての前記クリーン度と共に表示することにより、前記充電ステーション情報を前記クリーン電力情報とともに電動車両の乗員に提供する、充電情報提供装置。
【請求項６】
電動車両の充電に関する情報を提供する充電情報提供装置であって、
電力供給源から供給される電力が環境に与える負荷が低い発電方式として定義される発電方式により発電されたクリーン電力を含むか否かを表す情報であるクリーン電力供給情報を、その電力供給源から電力が供給される地域を表す地域情報とともに、電動車両の乗員に提供する、充電情報提供装置。
【請求項７】
請求項６に記載の充電情報提供装置において、
地図を表示可能な表示装置に表示される地図上に、クリーン電力を含む電力が前記電力供給源から供給されているクリーン電力供給地域を、クリーン電力を含まない電力が前記電力供給源から供給されている非クリーン電力供給地域と区別し得る態様で表示することにより、前記クリーン電力供給情報を前記地域情報とともに電動車両の乗員に提供する、充電情報提供装置。
【請求項８】
請求項７に記載の充電情報提供装置において、
目的地までの電動車両の走行経路であって前記クリーン電力供給地域を通過するクリーン電力供給地域通過優先走行経路を検索し、
前記表示装置に表示された地図上に前記クリーン電力供給地域通過優先走行経路を表示する、充電情報提供装置。
【発明の詳細な説明】
【技術分野】
【０００１】
本発明は、電動車両の充電に関する情報を提供する充電情報提供装置に関する。
【背景技術】
【０００２】
ＣＯ２の排出を削減して環境を保護する活動が世界的に進められている。例えば製造業界では、物品の製造に使用するエネルギー源として化石燃料に代えて電気を用いることにより、ＣＯ２の排出量を大きく削減する活動が促進されている。こうした中、自動車産業界では、電力により走行する電動車両の普及が促進される。また、電動車両の普及促進とともに、電動車両を効率的に充電する技術の開発が望まれる。【０００３】
特許文献１は、電動車両の走行可能範囲内に存在する充電ステーションを検索する充電ステーション検索方法を開示する。この検索方法によれば、各充電ステーションに備えられている充電器の使用の有無、使用中の充電器の使用終了予定時刻等の情報に基づいて、最も効率的に充電することができる充電ステーションが検索される。
【先行技術文献】
【特許文献】
【０００４】
【特許文献１】特開２０１０−１７５４９２号公報
【発明の概要】
【０００５】
ところで、電動車両に充電される電力は様々な方式により発電される。また、発電方式によって、発電時に発生するＣＯ２の排出量も異なる。例えば火力発電の場合、発電時に化石燃料を燃焼させるため燃焼時に大量のＣＯ２が発生する。一方、太陽光発電の場合、光エネルギーを電気エネルギーに変換するプロセス中にほとんどＣＯ２が発生しない。ＣＯ２の排出量が少ない発電方式で生成された電力のような、環境に与える負荷が低い発電方式として定義される発電方式で発電された電力は、クリーン電力と呼ばれる。クリーン電力を電動車両に充電することにより、より一層地球環境の保護に貢献することができる。
【０００６】
しかしながら、クリーン電力の価格は、火力発電等のようなＣＯ２排出量の多い発電方式、すなわち環境に与える負荷が高い発電方式により生成される電力（非クリーン電力）の価格に比べて高い。このような理由からわかるように、現状ではクリーン電力を積極的に充電するインセンティブが少ない。それ故、クリーン電力の需要が増加しない。加えて、電動車両の乗員が選択的にクリーン電力を電動車両に充電することができるような情報が存在しない。このことも、クリーン電力の需要の増加を停滞させている要因の一つである。
【０００７】
本発明は、電動車両に充電される電力としてのクリーン電力の需要を増加させることを目的とする。
【０００８】
本発明は、電動車両の充電に関する情報を提供する充電情報提供装置であって、電動車両を充電することができる充電ステーションを表す充電ステーション情報を、その充電ステーションで充電することができる電力が環境に与える負荷が低い発電方式として定義される発電方式により発電されたクリーン電力を含むか否かを表す情報であるクリーン電力情報とともに、電動車両の乗員に提供する、充電情報提供装置を提供する。
【０００９】
本発明によれば、充電ステーション情報と、その充電ステーション情報により表わされる充電ステーションでクリーン電力を含む電力を充電することができるか否かを表すクリーン電力情報とが電動車両の乗員に提供される。電動車両の乗員は、提供されたこれらの情報に基づいて、クリーン電力を含む電力を充電することができる充電ステーションに向かい、そこでクリーン電力を含む電力を充電することができる。こうしてクリーン電力を含む電力を選択的に電動車両に充電することにより、電動車両に充電される電力としてのクリーン電力の需要を増加させることができる。クリーン電力の需要が増加すれば、クリーン電力の価格が低下し、よりクリーン電力の普及が促進して環境保護に貢献することができる。
【００１０】
上記発明において、「クリーン電力」とは、環境に与える負荷が低い発電方式として定義される発電方式で発電された電力である。例えばＣＯ２の排出量が一定の基準量未満である発電方式で発電された電力が「クリーン電力」として定義され得る。クリーン電力の例として、太陽光発電、風力発電、地熱発電、燃料電池発電、等により発電された電力が挙げられるが、この限りでない。
【００１１】
また、「クリーン電力情報」は、充電ステーションで充電することができる電力が、環境に与える負荷が低い発電方式として定義される全ての発電方式で発電されたクリーン電力を含むか否かを表す情報でもよいし、充電ステーションで充電することができる電力が、環境に与える負荷が低い発電方式として定義される発電方式のうちの特定の発電方式（例えば太陽光発電）により発電されたクリーン電力を含むか否かを表す情報でもよい。
【００１２】
また、「クリーン電力情報」は、充電ステーションで充電することができる電力がクリーン電力を含むか否かを、数値、記号、文字あるいは図柄、音声その他で表わした情報であってもよい。例えば、充電ステーションで充電することができる電力がクリーン電力を含む場合、「１」という数値、「○」という記号、「クリーン電力を含む」という文字や音声、あるいは特定の図柄によりクリーン電力情報が表わされ、含まない場合、「０」という数値、「×」という記号、「クリーン電力を含まない」という文字や音声、あるいは特定の図柄によりクリーン電力情報が表わされても良い。しかしながら、クリーン電力情報は、充電ステーションで充電することができる電力にクリーン電力が含まれるか否かを電動車両の乗員が把握することができるような態様で表現されていれば、上記の例に限定されない。
【００１３】
また、「クリーン電力情報」は、充電ステーションで充電することができる電力のうちクリーン電力がどの程度含まれているかを表す情報でもよい。このような情報によっても、充電ステーションで充電することができる電力がクリーン電力を含むか否かが表わされる。さらに、「クリーン電力情報」は、充電ステーションで充電することができる電力がクリーン電力を含む可能性の大きさを表す情報でもよい。例えば、充電ステーションがクリーン電力を発電する設備を保有している場合、その設備で発電されたクリーン電力を電動車両の充電に用いる可能性が高い。よって、この場合、充電ステーションで充電することができる電力にクリーン電力が含まれることを表すようなクリーン電力情報が提供される。一方、充電ステーションがクリーン電力を発電する設備を保有していない場合、その充電ステーションでは火力発電により発電された商用電力により電動車両を充電する可能性が高い。よって、この場合、充電ステーションで充電することができる電力にクリーン電力が含まれないことを表すようなクリーン電力情報が提供される。さらに、「クリーン電力情報」は、充電ステーションで充電することができる電力が、クリーン電力を一定量以上含むか否かを表す情報でもよい。例えば、充電ステーションで充電することができる電力に対するクリーン電力の占める割合（後述するクリーン度）が予め定められた割合（基準クリーン度）以上である電力であるか否かを表す情報が、クリーン電力情報でもよい。
【００１４】
また、「充電ステーション情報」は、充電ステーションを表す情報であればどのような情報でもよい。充電ステーション情報は、充電ステーションの名称、住所、電話番号等の、充電ステーションを特定することができる情報であるのがよい。
【００１５】
この場合、前記充電ステーション情報は前記充電ステーションの存在位置を表す情報を含むのがよい。そして、充電情報提供装置は、地図を表示可能な表示装置に表示される地図上における前記充電ステーションの存在位置に、電動車両が充電可能な場所であることを表す充電可能標識を、その充電ステーションについての前記クリーン電力情報とともに表示することにより、前記充電ステーション情報を前記クリーン電力情報とともに電動車両の乗員に提供するのがよい。
【００１６】
この構成によれば、クリーン電力を含む電力を充電することができる充電ステーションの存在位置が、表示装置に表示された地図上に充電可能標識でクリーン電力情報と共に表示される。したがって、電動車両の乗員は、地図上に表示された充電可能標識およびクリーン電力情報に基づいて、クリーン電力充電ステーションに向かうことができる。
【００１７】
この場合、クリーン電力情報は、充電可能標識と別に表示されていてもよいし、充電可能標識と一体に表示されていてもよい。また、クリーン電力情報は充電可能標識の表示態様により表わされてもよい。例えば、クリーン電力情報が充電可能標識の大きさにより表わされてもよい。さらに、充電可能標識の大きさの変化によって、その充電可能標識で表わされる充電ステーションでクリーン電力を含む電力を充電することができるか否かが表わされるものであるのがよい。例えば、クリーン電力を含む電力を充電することができる充電ステーションを表す充電可能標識の大きさが、クリーン電力を含む電力を充電することができない充電ステーションを表す充電可能標識の大きさよりも大きく表示される。これによれば、電動車両の乗員は、表示装置に表示された充電可能標識の表示態様（大きさ等）に基づいて、その充電可能標識で表わされる充電ステーションでクリーン電力を含む電力を充電することができるか否かを判断することができる。また、クリーン電力を含む電力を充電することができる充電ステーションを表す充電可能標識が大きく表示されるので、表示装置内でクリーン電力を含む電力を充電可能な充電ステーションを電動車両の乗員に注目させることができる。
【００１８】
上記発明において、「表示装置」は地図が表示され得るものであればどのようなものでもよい。特に、自車両の現在地が示されるように地図が表示されているとよい。「表示装置」として、例えば電動車両に搭載されている車載ディスプレイや、電動車両の乗員が携帯している情報端末機器に設けられているディスプレイが挙げられるが、この限りでない。
【００１９】
また、本発明の充電情報提供装置は、目的地までの電動車両の走行経路であってクリーン電力を含む電力を充電することができる充電ステーションであるクリーン電力充電ステーションを通過するクリーン電力充電優先走行経路を検索し、前記表示装置に表示された地図上に、前記クリーン電力充電優先走行経路を表示してもよい。
【００２０】
この場合、本発明の充電情報提供装置は、電動車両の乗員が目的地までの経路の誘導を要求したときに前記クリーン電力充電優先走行経路を検索し、検索した経路に従って電動車両を誘導する機能を有するのがよい。また、充電情報提供装置は、前記クリーン電力充電優先走行経路を含む複数の経路を検索し、前記表示装置に、検索した複数の走行経路のいずれか一つを表示するための複数の表示ボタンを表示するとよい。このとき複数の表示ボタンの中で、前記クリーン電力充電優先走行経路を表示するための表示ボタンが最も目立つように表示されるとよい。さらに、本発明の充電情報提供装置は、検索した複数の走行経路の中から前記クリーン電力充電優先走行経路が選択されたときに、前記クリーン電力充電優先走行経路に従って電動車両を目的地まで誘導する機能を有するのがよい。
【００２１】
この構成によれば、クリーン電力充電優先走行経路にしたがって電動車両を走行させることにより、電動車両が目的地に到達するまでに、クリーン電力充電ステーションを通過する。したがって、電動車両の乗員は、目的地までの走行途中に経由するクリーン電力充電ステーションでクリーン電力を含む電力を充電することができる。
【００２２】
上記発明において、「クリーン電力充電ステーション」は、クリーン電力を一定量以上含む電力を充電することができる充電ステーションであってもよい。例えば、充電ステーションで充電することができる電力に対するクリーン電力の占める割合（後述するクリーン度）が予め定められた割合（基準クリーン度）以上である電力を充電することができる充電ステーションが、クリーン電力充電ステーションであってもよい。
【００２３】
前記クリーン電力情報は、電動車両の充電に用いる電力に対するクリーン電力の占める割合を表すクリーン度であるのがよい。これによれば、電動車両の乗員は、複数の充電ステーション情報がクリーン度とともに提供されているときに、各クリーン度を比較することができる。そして、例えばクリーン度が最も大きい電力を充電することができる充電ステーションに向かい、そこでより多くのクリーン電力を含む電力を充電することができる。
【００２４】
上記「クリーン度」は、充電ステーションが電動車両の充電に用いる電力に対するクリーン電力の占める割合を表す。クリーン度は、例えば０〜１０の整数値により表現される。クリーン度は、上記割合に比例して変化しても良いが、必ずしも上記割合に比例して変化しなくてもよい。
【００２５】
また、本発明の充電情報提供装置は、電動車両が乗員の自宅までの帰路を走行中であるときに、電動車両の乗員の自宅で電動車両を充電するときに用いる電力に対するクリーン電力の割合を表す自宅クリーン度よりも高いクリーン度で表わされる電力を電動車両に充電可能な高クリーン度充電ステーションを検索するとよい。そして、地図を表示可能な表示装置に表示される地図上における前記高クリーン度充電ステーションの存在位置に、電動車両が充電可能な場所であることを表す充電可能標識を、その高クリーン度充電ステーションについての前記クリーン度とともに表示することにより、前記充電ステーション情報を前記クリーン電力情報とともに電動車両の乗員に提供するとよい。この場合、前記充電情報提供装置は、電動車両の乗員の自宅までの帰路を走行中であって、且つ、走行のために電動車両に搭載されている蓄電池の残量が、残り少ないことを表す所定の残量以下であるときに、前記表示装置に表示された地図上における前記高クリーン度充電ステーションの存在位置に前記充電可能標識を前記クリーン度とともに表示してもよい。
【００２６】
この構成によれば、電動車両の乗員は、電動車両による帰宅途中に高クリーン度充電ステーションに立ち寄り、そこで電動車両を充電することができる。これにより、自宅で充電する場合よりも多くのクリーン電力を充電することができる。
【００２７】
また、本発明は、電動車両の充電に関する情報を提供する充電情報提供装置であって、電力供給源から供給される電力が環境に与える負荷が低い発電方式として定義される発電方式により発電されたクリーン電力を含むか否かを表す情報であるクリーン電力供給情報を、その電力供給源から電力が供給される地域を表す地域情報とともに、電動車両の乗員に提供する、充電情報提供装置を提供する。
【００２８】
本発明によれば、電力供給源から供給される電力がクリーン電力を含むか否かを表すクリーン電力供給情報が、その電力供給源から電力が供給される地域を表す地域情報と共に、電動車両の乗員に提供される。電動車両の乗員は、提供された情報に基づいて、クリーン電力を含む電力を充電することができる地域に向かい、その地域に存在する充電ステーションでクリーン電力を含む電力を充電することができる。こうしてクリーン電力を含む電力を電動車両に充電することにより、電動車両に充電される電力としてのクリーン電力の需要を増加させることができる。クリーン電力の需要が増加すれば、クリーン電力の価格が低下し、よりクリーン電力の普及が促進して環境保護に貢献することができる。
【００２９】
本発明において、「電力供給源」は、例えば、発電設備を有し、発電設備で発電した電力を需要家の受電設備に供給する電力会社である。国内に複数の電力会社が存在する場合、それぞれの電力会社がそれぞれ分担された地域に電力を供給する。よって、各電力会社の発電設備でクリーン電力を発電しているか否かによって、各電力会社から電力が供給される地域（電力供給地域）についてのクリーン電力供給情報が異なる。
【００３０】
なお、電力を需要家の受電設備に供給するための、発電・変電・送電・配電を統合したシステムを、「電力系統」と呼ぶ。国内に複数の電力系統が存在する場合、それぞれの電力系統がそれぞれ分担された地域の需要家の受電設備に電力を供給する。したがって、「電力供給源」は、「電力系統」であってもよい。
【００３１】
また、本発明の充電情報提供装置は、地図を表示可能な表示装置に表示される地図上に、クリーン電力を含む電力が前記電力供給源から供給されているクリーン電力供給地域を、クリーン電力を含まない電力が前記電力供給源から供給されている非クリーン電力供給地域と区別し得る態様で表示することにより、前記クリーン電力供給情報を前記地域情報とともに電動車両の乗員に提供するのがよい。この構成によれば、表示装置の地図上にクリーン電力供給地域が非クリーン電力供給地域と例えば色分けにより区別し得るように表示されるので、クリーン電力供給地域を電動車両の乗員に明確に認識させることができる。
【００３２】
前記クリーン電力供給地域は、クリーン電力を一定量以上含む電力が前記電力供給源から供給されている地域であってもよい。また、前記非クリーン電力供給地域は、クリーン電力を前記一定量以上含まない電力が前記電力供給源から供給されている地域であってもよい。
【００３３】
また、本発明の充電情報提供装置は、目的地までの電動車両の走行経路であって前記クリーン電力供給地域を通過するクリーン電力供給地域通過優先走行経路を検索し、前記表示装置に表示された地図上に前記クリーン電力供給地域通過優先走行経路を表示してもよい。
【００３４】
この構成によれば、クリーン電力供給地域通過優先走行経路にしたがって電動車両を走行させることにより、電動車両が目的地に到達する途中でクリーン電力供給地域を通過する。したがって、電動車両の乗員は、目的地までの走行途中に経由するクリーン電力供給地域内に存在する充電ステーションで、クリーン電力を含む電力を充電することができる。
【００３５】
本発明の充電情報提供装置（３０，４０）は、電動車両を充電することができる充電ステーションを表す充電ステーション情報を、その充電ステーションで充電することができる電力が環境に与える負荷が低い発電方式として定義される発電方式により発電されたクリーン電力を含むか否かを表す情報であるクリーン電力情報とともに取得する充電情報取得部（Ｓ１０１）と、前記充電情報取得部で取得された前記充電ステーション情報を、前記クリーン電力情報とともに、電動車両の乗員に提供する充電情報提供部（Ｓ１０５，Ｓ１０６，３０）と、を備えるように構成してもよい。
【００３６】
この場合、前記充電ステーション情報は、前記充電ステーションの存在位置を表す情報を含むのがよい。そして、前記充電情報提供部は、地図を表示可能な表示装置（３０）を有し、前記表示装置に表示された地図上における前記充電ステーションの存在位置に、電動車両が充電可能な場所であることを表す充電可能標識を、その充電ステーションについての前記クリーン電力情報と共に表示することにより、前記充電ステーション情報を前記クリーン電力情報とともに電動車両の乗員に提供するように構成してもよい。
【００３７】
さらに、前記充電情報提供装置は、前記充電情報取得部により取得された充電ステーション情報および前記クリーン電力情報に基づいて、目的地までの電動車両の走行経路であってクリーン電力を含む電力を充電することができる充電ステーションであるクリーン電力充電ステーションを通過するクリーン電力充電優先走行経路を検索する走行経路検索部（Ｓ２０４）を備え、前記充電情報提供部は、前記表示装置に表示された地図上に前記クリーン電力充電優先走行経路を表示するものであってもよい。この場合、クリーン電力充電ステーションは、クリーン度が予め定められた基準クリーン度以上である充電ステーションであってもよい。また、前記充電情報提供装置は、前記走行経路検索部で検索された前記クリーン電力充電優先走行経路にしたがって電動車両を誘導する走行経路誘導部（４４）を備えていてもよい。
【００３８】
また、前記充電情報提供装置は、前記充電情報取得部により取得された前記充電ステーション情報および前記クリーン度に基づいて、電動車両の乗員の自宅で電動車両を充電するときに用いる電力に対するクリーン電力の占める割合を表す自宅クリーン度よりも高いクリーン度で表わされる電力を電動車両に充電可能な高クリーン度充電ステーションを検索する高クリーン度充電ステーション検索部（Ｓ３０２）を備え、前記充電情報提供部は、電動車両が乗員の自宅までの帰路を走行中であるときに、前記表示装置に表示された地図上における前記高クリーン度充電ステーションの存在位置に、電動車両が充電可能な場所であることを表す充電可能標識を、その高クリーン度充電ステーションについての前記クリーン度とともに表示することにより、前記充電ステーション情報を前記クリーン電力情報とともに電動車両の乗員に提供するものであってもよい。
【００３９】
また、本発明の充電情報提供装置は、電力供給源から供給される電力が環境に与える負荷が低い発電方式として定義される発電方式により発電されたクリーン電力を含むか否かを表す情報であるクリーン電力供給情報を、その電力供給源から電力が供給される地域を表す地域情報とともに取得する電力供給情報取得部（Ｓ４０１）と、前記電力供給情報取得部で取得された前記クリーン電力供給情報を前記地域情報とともに、電動車両の乗員に提供する電力供給情報提供部（Ｓ４０５，Ｓ４０６，３０）と、を備えるように構成されてもよい。
【００４０】
この場合、前記電力供給情報提供部は、地図を表示可能な表示装置を備え、前記表示装置に表示される地図上に、クリーン電力を含む電力が前記電力供給源から供給されているクリーン電力供給地域を、クリーン電力を含まない電力が前記電力供給源から供給されている非クリーン電力供給地域と区別し得る態様で表示することにより、前記クリーン電力供給情報を前記地域情報とともに電動車両の乗員に提供するように構成されてもよい。
【００４１】
さらに、前記充電情報提供装置は、前記電力供給情報取得部により取得された前記クリーン電力供給情報および前記地域情報に基づいて、目的地までの電動車両の走行経路であって前記クリーン電力供給地域を通過するクリーン電力供給地域通過優先走行経路を検索する走行経路検索部（Ｓ５０２）を備えてもよい。そして、前記充電情報提供部は、前記表示装置に表示された地図上に、前記クリーン電力供給地域通過優先走行経路を表示するものであってもよい。さらに、前記充電情報提供装置は、前記走行経路検索部で検索された前記クリーン電力供給地域通過優先走行経路にしたがって電動車両を誘導する走行経路誘導部（４４）を備えていてもよい。
【００４２】
本発明の充電情報提供装置は、電動車両に備えられていてもよいし、電動車両の乗員が携帯する情報端末機器に備えられていてもよい。あるいは、本発明の充電情報提供装置は、例えば電動車両に充電情報を提供するために設置されている情報管理センタ等の外部機関に備えられていてもよい。この場合、外部機関から通信手段等を介して充電に関する情報が電動車両に送信され、送信された情報が電動車両の乗員に提供される。
【図面の簡単な説明】
【００４３】
【図１】図１は、電動車両と情報管理センタとの通信状況を示す概略図である。
【図２】図２は、情報管理センタのデータベースに記憶されている充電ステーション関連情報のリストの一例を示す図である。
【図３】図３は、電動車両の内部構成のうち、本発明に関連する部分を概略的に示す図である。
【図４】図４は、制御装置の内部構造を機能ごとに分けて示した図である。
【図５】図５は、第１実施形態に係る表示制御部が車載ディスプレイを表示制御するために実行する表示制御ルーチンを示すフローチャートである。
【図６】図６は、第１実施形態に係る表示制御部が表示制御ルーチンを実行した場合に車載ディスプレイに表示される画面の一例を示す図である。
【図７】図７は、第１実施形態に係る表示制御部が表示制御ルーチンを実行した場合に車載ディスプレイに表示される画面の他の例を示す図である。
【図８】図８は、第１実施形態に係る表示制御部が表示制御ルーチンを実行した場合に車載ディスプレイに表示される画面の他の例を示す図である。
【図９】図９は、第１実施形態に係るルートガイド部が電動車両を現在地から目的地まで誘導するために実行するルートガイド処理ルーチンを示すフローチャートである。
【図１０】図１０は、車載ディスプレイに表示された走行経路選択画面を示す図である。
【図１１】図１１は、第１実施形態に係る表示制御部が実行する帰路時充電促進ルーチンを示すフローチャートである。
【図１２】図１２は、第１実施形態に係る表示制御部が帰路時充電促進ルーチンを実行した際に車載ディスプレイに表示される画面の一例を示す図である。
【図１３】図１３は、第２実施形態に係る表示制御部が車載ディスプレイを表示制御するために実行する表示制御ルーチンを示すフローチャートである。
【図１４】図１４は、電力供給テーブルの一例を示す図である。
【図１５】図１５は、第２実施形態に係る表示制御部が表示制御ルーチンを実行した場合に車載ディスプレイに表示される画面の一例を示す。
【図１６】図１６は、第２実施形態に係るルートガイド部が電動車両を現在地から目的地まで誘導するために実行するルートガイド処理ルーチンを示すフローチャートである。
【図１７】図１７は、車載ディスプレイに表示された走行経路選択画面を示す図である。
【発明を実施するための形態】
【００４４】
（第１実施形態）
以下、本発明の第１実施形態について説明する。図１は、電動車両Ｖと、この電動車両Ｖに充電に関する情報を送信する情報管理センタ１との通信状況を示す概略図である。
【００４５】
情報管理センタ１は、電動車両Ｖの充電に関連する情報を電動車両Ｖに送信する。図１に示すように、情報管理センタ１はデータベース２を有する。データベース２には、電動車両Ｖを充電することができる充電器を有する複数の充電ステーションに関する情報（以下、充電ステーション関連情報と呼ぶ）が記憶されている。充電ステーション関連情報は、充電ステーションの存在位置を表す情報（位置情報）と、クリーン度とを含む。ここで、「クリーン度」とは、その充電ステーションで電動車両Ｖを充電するときに用いる電力に対するクリーン電力の占める割合を表す。「クリーン電力」とは、環境に与える負荷が低い発電方式として定義される発電方式により発電された電力である。例えば、発電時に発生するＣＯ２の量が一定の基準量未満である発電方式により発電された電力がクリーン電力である。太陽光発電、地熱発電、風力発電、水力発電等の自然エネルギーを利用した発電や、環境に与える影響が大きい物質（ＣＯ２等）が大量に発生することがない化学反応（例えば酸素と水素から水を生成する反応）を起こさせることによって発電された電力（例えば燃料電池発電により発電された電力）がクリーン電力の例として挙げられる。一方、火力発電の場合は、発電過程で化石燃料を燃焼させるために燃焼時に大量のＣＯ２が発生する。よって、火力発電で発電された電力はクリーン電力ではなく、非クリーン電力である。
【００４６】
クリーン度は、例えば０〜１０の間の整数により表わすことができる。この場合、値が大きいほど（あるいは小さいほど）クリーン度が高いことを表すようにしてもよい。例えば、クリーン電力のみを用いて電動車両Ｖを充電する充電ステーションについてのクリーン度は１０であり、非クリーン電力のみを用いて電動車両Ｖを充電する充電ステーションについてのクリーン度は０である。また、電動車両Ｖの充電に用いられる電力の半分をクリーン電力で賄い、残りの半分を非クリーン電力で賄っている充電ステーションについてのクリーン度は５である。
【００４７】
データベース２に記憶される充電ステーション関連情報は、充電ステーションの名称、電話番号、住所を表す情報を含んでもよい。なお、本実施形態において、充電ステーションは、専ら電動車両Ｖを充電する事業を実施している事業所でもよいし、他の業務を営んでいる傍ら電動車両Ｖを充電する事業を実施している事業所でもよい。例えば、コンビニエンスストアやファーストフード店の駐車場等に備えられている充電器で電動車両を充電する事業を上記コンビニエンスストアやファーストフード店の経営者が実施している場合、上記のコンビニエンスストアやファーストフード店も充電ステーションに該当する。さらに、一般家庭であっても、電動車両Ｖを充電することができる充電器を有しているのであれば、充電ステーションに属する。
【００４８】
充電ステーション関連情報は、それぞれの充電ステーションから情報管理センタ１に送信されてもよい。この場合、送信された充電ステーション関連情報がデータベース２に記憶される。また、情報管理センタ１の職員が各充電ステーションについての充電ステーション関連情報を調査し、調査結果をデータベース２に登録してもよい。
【００４９】
図２は、データベース２に記憶されている充電ステーション関連情報のリストの一例を示す図である。図２に示すように、充電ステーション関連情報は、充電ステーションの名称、位置情報（充電ステーションの存在位置を表す情報）、クリーン度、住所、電話番号を含む。位置情報は、例えばその充電ステーションの存在位置を地図上に表わす時に用いられる座標値であってもよい。位置情報が本発明の充電ステーション情報に相当する。
【００５０】
データベース２に記憶されている充電ステーション関連情報は、情報管理センタ１が備える通信機能を用いて、適宜電動車両Ｖに送信される。この場合において、電動車両Ｖが駆動（走行）しているときに電動車両Ｖに充電ステーション関連情報が送信されてもよい。また、電動車両Ｖが情報管理センタ１の近辺（例えば情報管理センタ１を中心とした半径１０ｋｍの円内）に位置しているときに充電ステーション関連情報が送信されてもよい。あるいは、電動車両Ｖの求めに応じてまたは定期的に送信されてもよい。
【００５１】
また、データベース２に記憶されている全ての充電ステーション関連情報が電動車両Ｖに送信されてもよいし、上記全ての充電ステーション関連情報のうちの一部の情報が電動車両Ｖに送信されてもよい。例えば、電動車両Ｖの近辺（例えば電動車両Ｖを中心とした半径１００ｋｍの円内）に存在する充電ステーションについての充電ステーション関連情報が電動車両Ｖに送信されるとよい。どのような充電ステーション関連情報を電動車両Ｖに送信するかについては、情報管理センタ１が有するコンピュータが計算することにより決定してもよい。また、情報管理センタ１の職員が各電動車両Ｖに送信する充電ステーション関連情報を決定してもよい。
【００５２】
図３は、電動車両Ｖの内部構成のうち、本発明に関連する部分を概略的に示す図である。図３に示すように、電動車両Ｖは、充電可能な蓄電池１０と、電動モータ２０と、車載ディスプレイ３０と、制御装置４０と、ＳＯＣ検出センサ５０とを備える。車載ディスプレイ３０および制御装置４０が、本発明の充電情報提供装置および充電情報提供部に相当する。
【００５３】
蓄電池１０は電動モータ２０に電力を供給する。電動モータ２０は蓄電池１０から供給される電力により回転駆動する。電動モータ２０の回転駆動力が車輪Ｗに伝達されることにより電動車両Ｖが走行する。
【００５４】
車載ディスプレイ３０は、電動車両Ｖの乗員（特にドライバー）が良好に視認することができる車内位置に設置される。制御装置４０はＣＰＵ，ＲＯＭ，ＲＡＭを主要構成とするマイクロコンピュータである。制御装置４０は車載ディスプレイ３０を表示制御する機能を有する。ＳＯＣ検出センサ５０は蓄電池１０に取り付けられている。ＳＯＣ検出センサ５０は蓄電池１０の充電率（ＳＯＣ：Ｓｔａｔｅ  Ｏｆ  Ｃｈａｒｇｅ）を検出する。そして、検出したＳＯＣを制御装置４０に出力する。
【００５５】
図４は、制御装置４０の内部構造を機能により分けて示した図である。図４に示すように、制御装置４０は、通信部４１と、記憶部４２と、表示制御部４３と、ルートガイド部４４とを備える。
【００５６】
通信部４１は、情報管理センタ１の通信機能と通信可能に構成され、情報管理センタ１の通信機能を介してデータベース２に記憶されている充電ステーション関連情報を受信する。そして、受信した充電ステーション関連情報を記憶部４２に出力する。記憶部４２は入力した充電ステーション関連情報を記憶する。記憶部４２には、その他の必要な情報（地図データ情報等）も記憶されている。表示制御部４３は車載ディスプレイ３０の表示を制御する。ルートガイド部４４は、電動車両Ｖが現在地から目的地まで到達するための経路を検索し、検索した経路にしたがって電動車両Ｖを誘導する。表示制御部４３は、車載ディスプレイ３０の表示制御に必要な情報を記憶部４２から取得する。ルートガイド部４４は、電動車両Ｖの誘導に必要な情報を記憶部４２から取得する。
【００５７】
電動車両Ｖの走行中、表示制御部４３は車載ディスプレイ３０を表示制御する。図５は、表示制御部４３が車載ディスプレイ３０を表示制御するために実行する表示制御ルーチンを示すフローチャートである。
【００５８】
以下、図５に基づいて、表示制御部４３による車載ディスプレイ３０の表示制御について説明する。図５に示すルーチンが起動すると、表示制御部４３は、まず図５のステップ（以下、ステップをＳと略記する）１０１にて、記憶部４２に記憶された複数の充電ステーションについての充電ステーション関連情報を取得する。次いで、表示制御部４３は、クリーン度が基準クリーン度以上であるという絞り込み条件により、Ｓ１０１で取得した充電ステーション関連情報を絞り込む（Ｓ１０２）。この絞り込み検索により、クリーン度が基準クリーン度以上である充電ステーションについての充電ステーション関連情報が検索される。なお、例えばクリーン度が０〜１０の整数により表わされ、且つ数値が大きいほどクリーン度が高い場合、基準クリーン度は１〜９のいずれかの数値（例えば３）に設定することができる。電動車両Ｖの乗員が任意に基準クリーン度を設定し得るように構成してもよい。
【００５９】
続いて、表示制御部４３は、予め記憶部４２に記憶されている地図データを読み込む（Ｓ１０３）。記憶部４２に記憶されている地図データは、外部通信によって随時最新の地図データに更新されていてもよい。その後、表示制御部４３は、車載ディスプレイ３０に電動車両Ｖの現在地を含む地図が表示されるように、車載ディスプレイ３０を制御する（Ｓ１０４）。なお、電動車両ＶはＧＰＳ装置を備えている。このＧＰＳ装置から得られる情報により、電動車両Ｖの現在地が特定される。
【００６０】
次に、表示制御部４３は、車載ディスプレイ３０に表示された地図上の位置であって、Ｓ１０２で絞り込まれた充電ステーション関連情報中の位置情報により特定される位置に、充電可能標識が表示されるように車載ディスプレイ３０を表示制御する（Ｓ１０５）。なお、充電ステーションの位置情報により特定される位置が、車載ディスプレイ３０に表示された地図の範囲外である場合は、地図内に表示しなくてもよい。
【００６１】
次に、表示制御部４３は、車載ディスプレイ３０に表示された地図に重畳表示された充電可能標識の近傍に、その充電可能標識で表わされる位置に存在する充電ステーションについてのクリーン度が表示されるように、車載ディスプレイ３０を表示制御する（Ｓ１０６）。
【００６２】
次いで、表示制御部４３は、Ｓ１０７に進み、強調表示処理を実行する。この強調表示処理により、クリーン度の大きさに応じて、そのクリーン度の充電ステーションの存在位置を表す充電可能標識の大きさが変更される。本実施形態では、クリーン度が大きいほど充電可能標識が大きく車載ディスプレイ３０上に表示される。すなわち、クリーン電力を含む電力を充電することができる充電ステーションを表す充電可能標識が、クリーン電力を含む電力を充電することができない（クリーン電力を含まない電力を充電することができる）充電ステーションを表す充電可能標識よりも大きく表示される。なお、充電可能標識の表示色や形状を、クリーン度に応じて変更してもよい。
【００６３】
その後、車載ディスプレイ３０に表示されている充電ステーションの中で最もクリーン度が高い充電ステーションの広告情報が表示されるように、車載ディスプレイ３０を表示制御する（Ｓ１０８）。次いで、表示制御部４３は、終了信号が入力されているか否かを判断する（Ｓ１０９）。終了信号は、例えば電動車両Ｖの駆動が停止された場合などに入力される。終了信号が入力されていない場合（Ｓ１０９：Ｎｏ）は、Ｓ１０５に戻り、Ｓ１０５〜Ｓ１０９の処理を繰り返す。この場合において、電動車両Ｖが走行することによって車載ディスプレイ３０に表示される地図領域が変化するときは、表示制御部４３は、変化した後の地図領域内の充電ステーションの存在位置に充電可能標識を表示し（Ｓ１０５）、表示された充電可能標識の近傍にクリーン度を表示し、（Ｓ１０６）、クリーン度の大きさに応じて充電可能標識の大きさを変更し（Ｓ１０７）、最も大きいクリーン度の充電ステーションの広告を表示する（Ｓ１０８）。Ｓ１０９にて終了信号が入力されていると判断された場合（Ｓ１０９：Ｙｅｓ）、表示制御部４３はこのルーチンを終了する。
【００６４】
図６は、表示制御部４３が上記の表示制御ルーチンを実行した場合に車載ディスプレイ３０に表示される画面の一例を示す図である。図６に示すように、車載ディスプレイ３０には、電動車両Ｖの位置を含む地図が表示されている。電動車両Ｖは、図６における標識Ｖにより、その位置と進行方向が表わされる。
【００６５】
また、地図上に、充電可能標識ＳＡ，ＳＣ，ＳＤが重畳表示されている。充電可能標識ＳＡ，ＳＣ，ＳＤで示される位置は、それぞれ、図２の充電ステーション関連情報のリストに示される名称Ａ，Ｃ，Ｄで表わされる充電ステーションの存在位置を表す。
【００６６】
また、充電可能標識ＳＡ，ＳＣ，ＳＤの近傍に、それぞれクリーン度が重畳表示されている。本実施形態において、充電ステーションＡのクリーン度が１０、充電ステーションＣのクリーン度が５、充電ステーションＤのクリーン度が７である。なお、図２の充電ステーション関連情報のリストにおいて、充電ステーションＢは、クリーン度が０であるので、図５のＳ１０２の処理により検索対象から除外される。そのため、本実施形態においては、地図上に充電ステーションＢを表す充電可能標識は表示されない。ただし、充電ステーションＢを表す充電標識ＳＢが、クリーン度と共に表示されていてもよい。この場合、図５のＳ１０２の処理が省略される。
【００６７】
また、充電可能標識ＳＡ，ＳＣ，ＳＤの大きさは、それぞれ充電ステーションＡ，Ｃ，Ｄで電動車両Ｖを充電したときに用いられる電力のクリーン度の大きさに依存する。すなわち、クリーン度が大きいほど、充電可能標識の大きさも大きい。充電ステーションＡのクリーン度は１０であり、充電ステーションＣのクリーン度は５であり、充電ステーションＤのクリーン度は７であるので、充電ステーションＡを表す充電可能標識ＳＡが最も大きく、充電ステーションＤを表す充電可能標識ＳＤが次に大きく、充電ステーションＣを表す充電可能標識ＳＣが最も小さい。また、クリーン度が最も大きい充電ステーションＡについての広告Ｅが、充電可能標識ＳＡに関連付けて、地図上に重畳表示されている。
【００６８】
このように、本実施形態によれば、車載ディスプレイ３０を通じて、充電ステーションの存在位置を表す情報（充電可能標識）が、その充電ステーションでクリーン電力を充電することができるか否かを表す情報（クリーン度、充電可能標識の大きさ）とともに、電動車両Ｖの乗員に提供されるように、情報提供装置（車載ディスプレイ３０および制御装置４０）が構成される。したがって、電動車両Ｖの乗員は、提供された充電ステーションの位置情報およびクリーン度に基づいて、クリーン電力を含む電力を充電することができる充電ステーションに向かい、そこでクリーン電力を含む電力を充電することができる。こうしてクリーン電力を含む電力を電動車両Ｖに充電することにより、電動車両Ｖに充電される電力としてのクリーン電力の需要を増加させることができる。
【００６９】
また、車載ディスプレイ３０に複数の充電ステーションの存在位置を表す充電可能標識が、それぞれその充電ステーションのクリーン度とともに表示されているので、電動車両の乗員は各クリーン度を比較することができる。そして、例えばクリーン度が最も高い電力を充電することができる充電ステーションに向かい、そこでクリーン電力をより多く含む電力を充電することができる。
【００７０】
図７、図８は、表示制御部４３が上記の表示制御ルーチンを実行した場合に車載ディスプレイ３０に表示される画面の他の例を示す図である。図７に示すように、各充電ステーションＡ，Ｃ，Ｄのクリーン度の表示は省略されている。各充電ステーションＡ，Ｃ，Ｄのクリーン度は、各充電ステーションＡ，Ｃ，Ｄの存在位置を表す充電可能標識ＳＡ，ＳＣ，ＳＤの大きさにより表わされる。図７に示す例によれば、充電可能標識ＳＡが最も大きいので、充電ステーションＡのクリーン度が最も大きい。一方、充電可能標識ＳＣが最も小さいので、充電ステーションＣのクリーン度が最も小さい。このように、図７に示す画面によっても、充電ステーションの存在位置を表す情報（充電可能標識）が、その充電ステーションでクリーン電力を充電することができるか否かを表す情報（充電可能標識の大きさにより示されるクリーン度）とともに、電動車両Ｖの乗員に提供される。
【００７１】
また、図８に示すように、車載ディスプレイ３０には、クリーン度が基準クリーン度以上のクリーン電力充電ステーションのみならず、クリーン度が基準クリーン度未満の充電ステーション（非クリーン電力充電ステーション）も表示されていてよい。この場合、クリーン電力充電ステーションは非クリーン電力充電ステーションと区別し得る態様で表示される。例えば、図８に示すように、非クリーン電力充電ステーションが充電可能標識Ｓのみで表示され、クリーン電力充電ステーションが充電可能標識Ｓおよびクリーン度が基準クリーン度以上のクリーン電力を充電可能であることを表すクリーン電力標識Ｆとで表示される。このように、図８に示す画面によっても、充電ステーションの存在位置を表す情報（充電可能標識Ｓ）が、その充電ステーションでクリーン電力を充電することができるか否かを表す情報（クリーン電力標識Ｆ）とともに、電動車両Ｖの乗員に提供される。
【００７２】
また、制御装置４０は、電動車両Ｖを目的地まで誘導するナビゲーション機能を有するルートガイド部４４を備える。ルートガイド部４４は、電動車両Ｖの乗員が車載ディスプレイ３０に備えられているルートガイドボタンを操作して電動車両Ｖの目的地が設定されたとき、すなわち電動車両Ｖの乗員が目的地までの経路の誘導を要求したときに、目的地までの経路を検索し、検索した経路に従って電動車両Ｖを誘導する。
【００７３】
図９は、ルートガイド部４４が電動車両Ｖを現在地から目的地まで誘導するために実行するルートガイド処理ルーチンを示すフローチャートである。このルーチンは、電動車両Ｖの目的地が設定されたときに実行される。このルーチンが起動すると、ルートガイド部４４は、まず図９のＳ２０１にて、記憶部４２に記憶されている充電ステーション関連情報を取得する。次いで、クリーン度が基準クリーン度以上であるという絞り込み条件により、Ｓ２０１で取得した充電ステーション関連情報を絞り込む（Ｓ２０２）。この絞り込み検索により、クリーン度が基準クリーン度以上である充電ステーションについての充電ステーション関連情報が検索される。なお、Ｓ２０１およびＳ２０２の処理に代えて、ルートガイド部４４は、表示制御部４３が図５のＳ１０２にて絞り込んだ検索結果を取得する処理を実行してもよい。続いて、ルートガイド部４４は、予め記憶部４２に記憶されている地図データを読み込む（Ｓ２０３）。
【００７４】
その後、ルートガイド部４４は、クリーン電力充電優先走行経路を検索する（Ｓ２０４）。クリーン電力充電優先走行経路とは、電動車両Ｖが現在地から目的地まで到達するように設定される走行経路であって、クリーン電力を含む電力（クリーン度が基準クリーン度以上の電力）を充電することができる充電ステーションであるクリーン電力充電ステーションを通過する走行経路である。本実施形態では、例えば以下のようにして、ルートガイド部４４がクリーン電力優先走行経路を検索する。
【００７５】
まず、ルートガイド部４４は電動車両Ｖの現在地から目的地までの最短経路を検索する。次いで、検索した最短経路を電動車両Ｖが走行したときに、Ｓ２０２にて絞り込み検索した充電ステーション関連情報により特定される充電ステーションの一つまたは複数を電動車両Ｖが通過するか否かを判断する。通過する場合、その最短経路をクリーン電力充電優先走行経路に設定する。
【００７６】
一方、検索した最短経路を電動車両Ｖが走行したときに、Ｓ２０２にて絞り込み検索した充電ステーション関連情報により特定される充電ステーションを電動車両が通過しない場合、ルートガイド部４４は、最短経路の次に距離が短い経路を検索する。そして、検索した経路を電動車両が走行する際に、Ｓ２０２にて絞り込み検索した充電ステーション関連情報により特定される充電ステーションの一つまたは複数を電動車両Ｖが通過するか否かを判断する。通過する場合、その経路をクリーン電力充電優先走行経路に設定する。通過しない場合は、次に短い経路を検索し、上記と同様の判断を行う。
【００７７】
上記のようにしてルートガイド部４４がクリーン電力充電優先走行経路を検索する結果、Ｓ２０２にて絞り込み検索したクリーン度が基準クリーン度以上の充電ステーションを通過する最短経路がクリーン電力充電優先走行経路として設定される。つまり、Ｓ２０４にて、距離優先のクリーン電力充電優先走行経路が検索される。なお、距離優先に代えて、時間優先、有料道路優先等のクリーン電力充電優先走行経路が検索されてもよい。
【００７８】
次いで、ルートガイド部４４は、他の走行経路を検索する（Ｓ２０５）、検索する他の走行経路として、電動車両Ｖが現在地から目的地に到達するまでの距離が最も短い距離優先走行経路、電動車両Ｖが現在地から目的地に到達するまでの時間が最も短い時間優先走行経路、電動車両Ｖが現在地から目的地に到達するまでに有料道路を利用する有料道路優先走行経路、等が挙げられる。
【００７９】
続いて、ルートガイド部４４は、走行経路選択画面を車載ディスプレイ３０に表示させる（Ｓ２０６）。走行経路選択画面には、Ｓ２０４で検索したクリーン電力充電優先走行経路およびＳ２０５で検索した他の走行経路のいずれか一つ、および、上記各走行経路を表示するための表示ボタンが表示される。表示ボタンを操作することにより、走行経路選択画面に表示される走行経路が切り替わる。
【００８０】
図１０は、車載ディスプレイ３０に表示された走行経路選択画面を示す図である。図１０に示すように、走行経路選択画面には、電動車両Ｖの現在地と目的地Ｇとを含む地図が表示される。また、表示された地図上にルートガイド部４４が検索した走行経路が太線で重畳表示されている。また、クリーン電力充電優先走行経路を表示するための表示ボタンＢ１、時間優先走行経路を表示するための表示ボタンＢ２、距離優先走行経路を表示するための表示ボタンＢ３も、それぞれ走行経路選択画面に表示されている。この場合において、クリーン電力充電優先走行経路を表示するための表示ボタンＢ１が、他の表示ボタンＢ２，Ｂ３よりも電動車両Ｖの乗員に注目されるように、最も上側に表示される。また、走行経路選択画面の初期画面（表示ボタンＢ１，Ｂ２，Ｂ３が操作されていない状態における走行経路選択画面）には、クリーン電力充電優先走行経路が表示される。表示ボタンＢ１，Ｂ２，Ｂ３のいずれか一つに電動車両Ｖの乗員が触れることにより、触れた表示ボタンに対応する走行経路が地図上に重畳表示される。表示ボタンに触れることで、その表示ボタンの背景色と文字色が反転する。これによりその表示ボタンに対応する走行経路が表示されていることが電動車両Ｖの乗員に視認される。図１０に示す場合においては、表示ボタンＢ１が触れられ、それにより走行経路選択画面の地図上にクリーン電力充電優先走行経路が重畳表示されている。
【００８１】
また、図１０に示す走行経路選択画面に表示された地図上には、充電ステーションの存在位置が表示されている。図１０に示す例では、クリーン電力充電ステーション（クリーン度が基準クリーン度以上の充電ステーション）の存在位置が非クリーン電力充電ステーション（クリーン度が基準クリーン度未満の充電ステーション）の存在位置と区別し得る態様で表示されている。具体的には、非クリーン電力充電ステーションの存在位置が充電可能標識Ｓのみで表示され、クリーン電力充電ステーションの存在位置が充電可能標識Ｓおよびクリーン電力標識Ｆとで表示されている。図１０によれば、電動車両Ｖがクリーン電力充電優先走行経路に沿って走行することにより、２箇所のクリーン電力充電ステーションを通過する。
【００８２】
ルートガイド部４４は、図９のＳ２０６にて走行経路選択画面を車載ディスプレイ３０に表示させた後、走行経路の選択が完了したか否かを判断する（Ｓ２０７）。なお、図１０に示すように走行経路選択画面には案内開始ボタンＢ４も表示されている。この案内開始ボタンＢ４に触れることにより、そのときに走行経路選択画面の地図上に重畳表示されている走行経路の選択が完了する。
【００８３】
Ｓ２０７にて選択が完了したと判断した場合（Ｓ２０７：Ｙｅｓ）、ルートガイド部４４は、選択された走行経路を、電動車両Ｖを目的地まで誘導するための誘導経路に設定し（Ｓ２０８）、設定した誘導経路にしたがって電動車両Ｖを誘導（ルートガイド）する（Ｓ２０９）。電動車両Ｖの誘導時には、表示制御部４３が図５の表示制御ルーチンを実行することにより車載ディスプレイ３０に表示される図７、図８、図９のいずれかの画面中の地図上に、設定した誘導経路が太線で重畳表示される。このように地図上に重畳表示された誘導経路、および音声案内により、電動車両Ｖが目的地まで誘導される。
【００８４】
その後、ルートガイド部４４は、電動車両Ｖが目的地に到達したか否かを判断する（Ｓ２１０）。目的地に到達していない場合（Ｓ２１０：Ｎｏ)はＳ２０９に戻って電動車両Ｖの誘導を継続する。目的地に到達している場合（Ｓ２１０：Ｙｅｓ）は、このルーチンを終了する。
【００８５】
このように、本実施形態によれば、ルートガイド部４４によって、クリーン電力充電優先走行経路が検索される。検索されたクリーン電力充電優先走行経路は車載ディスプレイ３０の走行経路選択画面に表示される。そして、目的地までの走行経路としてクリーン電力充電優先走行経路が選択されたときに、車載ディスプレイ３０の地図上にクリーン電力充電優先走行経路が誘導経路として表示されるとともに、表示されたクリーン電力充電優先走行経路にしたがって電動車両Ｖが目的地まで誘導される。クリーン電力充電優先走行経路にしたがって電動車両Ｖが誘導された場合、目的地に到達するまでに電動車両Ｖはクリーン電力充電ステーションを通過する。また、電動車両Ｖの誘導時に車載ディスプレイ３０に表示された地図上におけるクリーン電力充電ステーションの存在位置には、表示制御部４３による表示制御ルーチンの実行によって充電可能標識が表示されている。したがって、電動車両Ｖの乗員は通過するクリーン電力充電ステーションの位置を車載ディスプレイ３０上で確認することができる。そして、そのクリーン電力充電ステーションに立ち寄り、そこでクリーン電力を含む電力を充電することができる。
【００８６】
また、車載ディスプレイ３０の地図上にクリーン電力充電ステーションを表す充電可能標識が表示されるとともに充電可能標識の近傍にクリーン度が表示されている場合、あるいはクリーン度が充電可能標識の大きさにより表わされている場合は、電動車両Ｖの乗員は、走行途中で通過する複数のクリーン電力充電ステーションの中からクリーン度に基づいて充電すべきクリーン電力充電ステーションを決定することができる。そして、決定したクリーン電力充電ステーションに立ち寄って、そこで電動車両Ｖを充電することができる。例えば、最もクリーン度の大きいクリーン電力充電ステーションでより多くのクリーン電力を含む電力を充電することができる。
【００８７】
本実施形態においては、車載ディスプレイ３０に表示された地図上における充電ステーションの存在位置を表す充電可能標識が、その充電ステーションでクリーン電力を充電することができるか否かを表す情報（充電可能標識の大きさ、クリーン度、クリーン電力標識）とともに表示される。このような表示機能は、電動車両Ｖが帰路を走行中であるときに、表示制御部４３が以下に示すような帰路時充電促進ルーチンを実行することにより達成されてもよい。
【００８８】
図１１は、表示制御部４３が実行する帰路時充電促進ルーチンを示すフローチャートである。このルーチンが起動すると、まず表示制御部４３は、図のＳ３０１にて、記憶部４２から充電ステーション関連情報を取得する。次いで、取得した充電ステーション関連情報の中から、クリーン度が基準クリーン度以上の充電ステーション関連情報を検索する（Ｓ３０２）。続いて、記憶部４２から地図データを読み込み（Ｓ３０３）、読み込んだ地図データに基づいて、電動車両Ｖの現在地を含む地図を車載ディスプレイ３０に表示する（Ｓ３０４）。
【００８９】
次に、表示制御部４３は、電動車両Ｖが帰路を走行中であるか否かを判断する（Ｓ３０５）。電動車両Ｖが帰路を走行中であるか否かは、さまざまな方法により判断することができる。例えば、ルートガイド部４４が電動車両Ｖを目的地まで誘導している場合において、目的地が自宅であるときに電動車両Ｖが帰路を走行中であると判断することができる。また、車載ディスプレイ３０に表示された地図領域が自宅の位置を含まない領域から含む領域に変化したときに、電動車両Ｖが帰路を走行中であると判断することができる。あるいは、電動車両Ｖの現在地と自宅との間の直線距離が減少しているときに、電動車両Ｖが帰路を走行中であると判断することができる。さらに、電動車両Ｖと自宅との間の距離が所定距離（例えば１０ｋｍ）未満に減少したときに、電動車両Ｖが帰路を走行中であると判断することができる。
【００９０】
Ｓ３０５にて電動車両Ｖが帰路を走行中であると判断されなかったとき（Ｓ３０５：Ｎｏ）は、表示制御部４３は図５のＳ１０５に処理を進める。そして、図５のＳ１０５以降の処理を実行することにより、車載ディスプレイ３０が表示制御される。
【００９１】
一方、Ｓ３０５にて電動車両Ｖが帰路を走行中であると判断されたとき（Ｓ３０５：Ｙｅｓ）は、表示制御部４３は、ＳＯＣ検出センサ５０から現在のＳＯＣを取得する（Ｓ３０６）。次いで、取得したＳＯＣが閾値ＳＯＣｔｈ未満であるか否かを判断する（Ｓ３０７）。閾値ＳＯＣｔｈは、走行のために電動車両Ｖに搭載された蓄電池１０の残量が残り少ないことを表すＳＯＣの値として予め設定されている。
【００９２】
Ｓ３０７にてＳＯＣが閾値ＳＯＣｔｈ以上であると判断されたとき（Ｓ３０６：Ｎｏ）は、表示制御部４３は図５のＳ１０５に処理を進める。そして、図５のＳ１０５以降の処理を実行することにより、車載ディスプレイ３０が表示制御される。
【００９３】
一方、Ｓ３０７にてＳＯＣが閾値ＳＯＣｔｈ未満であると判断されたとき（Ｓ３０６：Ｙｅｓ）は、表示制御部４３は、Ｓ３０２にて検索した充電ステーション関連情報の中から、クリーン度が自宅クリーン度よりも大きい充電ステーション関連情報を検索する（Ｓ３０８）。自宅クリーン度とは、電動車両Ｖを自宅で充電するときに用いられる電力のクリーン度である。この自宅クリーン度は予め記憶部４２に記憶されている。例えば自宅クリーン度が５である場合、５よりも大きいクリーン度の充電ステーション関連情報が検索される。
【００９４】
次いで、表示制御部４３は、Ｓ３０８で検索した充電ステーション関連情報により表わされる充電ステーションを高クリーン度充電ステーションとして特定するとともに、車載ディスプレイ３０に表示されている地図上における高クリーン度充電ステーションの存在位置に、充電可能標識を表示する（Ｓ３０９）。次に、表示した充電可能標識の近傍に、その充電可能標識で表わされる高クリーン度充電ステーションのクリーン度を表示する（Ｓ３１０）。
【００９５】
続いて表示制御部４３は、クリーン度に基づいて、車載ディスプレイ３０に表示されている充電可能標識および／またはクリーン度が強調表示されるように車載ディスプレイ３０を表示制御する（Ｓ３１１）。具体的には、クリーン度が大きい高クリーン度充電ステーションほど、それを表す充電可能標識、および／または、そのクリーン度が大きく表示されるように、車載ディスプレイ３０を表示制御する。
【００９６】
その後、表示制御部４３は、電動車両Ｖの充電を促進することを報知するための表示が車載ディスプレイ３０に示されるように、車載ディスプレイ３０の表示を制御する（Ｓ３１２）。例えば、「充電をしてください。」とのメッセージおよび蓄電池残量が、車載ディスプレイ３０に表示されるように、車載ディスプレイ３０を制御する。なお、Ｓ３１２の処理に代えて、音声により充電を促しても良い。
【００９７】
次いで、表示制御部４３は、電動車両Ｖが自宅に到着したか否かを判断する（Ｓ３１３）。自宅に到着していない場合（Ｓ３１３：Ｎｏ）、Ｓ３０９に戻り、Ｓ３０９〜Ｓ３１３の処理を繰り返す。一方、自宅に到着している場合（Ｓ３１３：Ｙｅｓ）、表示制御部４３はこのルーチンを終了する。なお、表示制御部４３は、図９のＳ３０９〜Ｓ３１３の処理を繰り返し実行している場合において、電動車両Ｖが帰路を走行していないと判断したときに、このルーチンを終了してもよい。
【００９８】
図１２は、表示制御部４３が帰路時充電促進ルーチンを実行した際に車載ディスプレイ３０に表示される画面の一例を示す図である。図１２に示すように、車載ディスプレイ３０には地図が表示されており、この地図中に、電動車両Ｖの現在地および自宅Ｈを示す標識が重畳表示されている。また、地図中において自宅クリーン度よりも高いクリーン度の電力を充電することができる高クリーン度充電ステーションの存在位置が、充電可能標識Ｓにより示されている。また、各充電可能標識Ｓの近傍に、その充電可能標識Ｓにより表わされる高クリーン度充電ステーションのクリーン度が示されている。さらに、電動車両Ｖの充電を促すための表示Ｑが車載ディスプレイ３０に表示されている。したがって、電動車両Ｖの乗員は、自宅Ｈに戻る前に、充電可能標識Ｓにより表わされる高クリーン度充電ステーションに立ち寄り、そこで、自宅クリーン度よりも高いクリーン度の電力を充電することができる。また、クリーン度の高い高クリーン度充電ステーションを表す充電可能標識Ｓほど、車載ディスプレイ３０に表示された地図上でより注目されるように、大きく表示されている。したがって、電動車両Ｖの乗員は、より大きく表示された充電可能標識Ｓで表わされる充電ステーションに立ち寄ろうとする意識が高められる。そして、大きく表示された充電可能標識Ｓにより表わされる充電ステーションでより多くのクリーン電力を充電することができる。
【００９９】
（第２実施形態）
上記第１実施形態では、車載ディスプレイの地図上に充電ステーションの存在位置を表す情報（充電可能標識）が、その充電ステーションでクリーン電力を充電することができるか否かを表す情報（充電可能標識の大きさ、クリーン度、クリーン電力標識）とともに表示されることにより、電動車両の乗員に充電ステーション情報をクリーン電力情報とともに提供する例について説明した。第２実施形態では、車載ディスプレイの地図上に、電力系統（電力供給源）から供給される電力がクリーン電力を含むか否かを表す情報（クリーン電力供給情報）が、その電力系統から電力が供給される地域を表す地域情報とともに表わされることにより、電動車両の乗員にクリーン電力供給情報が地域情報とともに提供される例について説明する。
【０１００】
本実施形態においても、図１に示すように電動車両Ｖが情報管理センタ１と通信することにより、図２に示す充電ステーション関連情報が電動車両Ｖに送信される。また、電動車両Ｖの構成、制御装置４０の構成は、第１実施形態で説明した図３および図４に示す構成と同一である。したがって、これらの説明は省略する。
【０１０１】
電動車両Ｖの走行中、制御装置４０の表示制御部４３は、図１３に示す表示制御ルーチンを実行することにより、車載ディスプレイ３０を表示制御する。このルーチンが起動すると、表示制御部４３は、まず、記憶部４２に予め記憶されている電力供給テーブルから、電力系統の電力供給地域ごとにクリーン度を取得する（Ｓ４０１）。
【０１０２】
電力系統とは、電力をその需要家の受電設備に供給するための、発電・変電・送電・配電を統合したシステムを表す。一つの電力系統は、その電力系統の発電設備で発電された電力を予め定められた電力供給地域に供給する。電力系統が保有する発電設備の中に、クリーン電力を生成する発電設備が存在しない場合、その電力系統の電力供給地域に供給される電力のクリーン度は０である。一方、電力系統がクリーン電力を生成する発電設備のみを保有している場合、その電力系統の電力供給地域に供給される電力のクリーン度は１０である。電力系統がクリーン電力を生成する発電設備と非クリーン電力を生成する発電設備を両方とも保有する場合、その電力系統の電力供給地域に供給される電力のクリーン度は、全ての発電電力に対するクリーン電力の発電割合に相当する値により表わされる。電力供給テーブルは、各電力系統と、各電力系統の電力供給地域と、その電力供給地域に供給される電力のクリーン度との対応関係を表す。この電力供給テーブルは、情報管理センタ１のデータベース２に記憶されている。情報管理センタ１は、通信機能を用いてデータベース２に記憶されている電力供給テーブルを電動車両Ｖに送信する。送信された電力供給テーブルは記憶部４２に記憶される。なお、この電力供給テーブルは予め記憶部４２に記憶されていてもよい。
【０１０３】
図１４は、電力供給テーブルの一例を示す図である。図１４に示すように、電力供給テーブルには、各電力系統と、電力系統の相違により区画される各電力供給地域と、各電力供給地域に供給される電力のクリーン度が対応付けられている。図に示す例では、電力系統ａの電力供給地域Ａに供給される電力のクリーン度は１０、電力系統ｂの電力供給地域Ｂに供給される電力のクリーン度は０、電力系統ｃの電力供給地域Ｃに供給される電力のクリーン度は５、電力系統ｄの電力供給地域Ｄに供給される電力のクリーン度は７である。なお、クリーン度は０〜１０の整数値で表わされ、数値が大きいほどクリーン度が高い。
【０１０４】
表示制御部４３は、図１３のＳ４０１で電力供給テーブルを参照して電力系統の電力供給地域ごとにクリーン度を取得した後は、記憶部４２から地図データを読み込み（Ｓ４０２）、次いで、記憶部４２に記憶されている充電ステーション関連情報から充電ステーションの位置情報を読み込む（Ｓ４０３）。次に、車載ディスプレイ３０に電動車両Ｖの現在地を含むように地図を表示させる（Ｓ４０４）。
【０１０５】
続いて、表示制御部４３は、Ｓ４０３で読み込んだ充電ステーションの位置情報に基づいて、車載ディスプレイ３０に表示された地図上における充電ステーションの存在位置に充電可能標識を表示する（Ｓ４０５）。その後、表示制御部４３は、Ｓ４０１で電力供給地域ごとに取得したクリーン度に基づいて、地図に表示されている領域を色分け表示する（Ｓ４０６）。例えば、クリーン度が０である電力供給地域を赤色で表示し、クリーン度が１〜９である電力供給地域を黄色で表示し、クリーン度が１０である電力供給地域を青色で表示する。その後、表示制御部４３は、終了信号が入力されているか否かを判断する（Ｓ４０７）。終了信号が入力されていない場合（Ｓ４０７：Ｎｏ）は、Ｓ４０５に戻り、Ｓ４０５〜Ｓ４０７の処理を繰り返す。Ｓ４０７にて終了信号が入力されていると判断された場合（Ｓ４０７：Ｙｅｓ）、表示制御部４３はこのルーチンを終了する。
【０１０６】
図１５は、表示制御部４３が上記の表示制御ルーチンを実行した場合に車載ディスプレイ３０に表示される画面の一例を示す。図１５に示すように、車載ディスプレイ３０に表示された地図上に、電動車両Ｖの現在地を表す標識、および、充電ステーションの存在位置を表す充電可能標識Ｓが、それぞれ重畳表示されている。また、供給される電力のクリーン度に応じて地図の領域が区画されている。図１５では、ドットで示した領域と、それ以外の領域とに区画されている。ドットで示された領域に供給される電力のクリーン度は１０であり、それ以外の領域に供給される電力のクリーン度は０である。つまり、本実施形態によれば、車載ディスプレイ３０上に、クリーン電力を含む電力が供給されているクリーン電力供給地域（図１５のドットで示された領域）が、クリーン電力を含まない電力が供給されている非クリーン電力供給地域（図１５のドットで示されていない領域）と区別し得る態様で表示される。ドットで示される領域内の充電可能標識Ｓで表わされる充電ステーションには、クリーン電力が供給されている。したがって、電動車両Ｖの乗員は、ドットで示される領域に存在する充電ステーションに立ち寄って、そこでクリーン電力を含む電力を充電することができる。
【０１０７】
また、ルートガイド部４４は、電動車両Ｖの乗員が車載ディスプレイ３０に備えられているルートガイドボタンを操作して電動車両Ｖの目的地を設定したときに、目的地までの経路を検索し、検索した経路に従って電動車両を誘導する。
【０１０８】
図１６は、本実施形態においてルートガイド部４４が電動車両Ｖを現在地から目的地までルートガイドするために実行するルートガイド処理ルーチンを示すフローチャートである。このルーチンは、電動車両Ｖの目的地が設定されたとき、すなわち電動車両Ｖの乗員が目的地までの経路の誘導を要求したときに、実行される。
【０１０９】
このルーチンが起動すると、ルートガイド部４４は、まず図１６のＳ５０１にて、記憶部４２に記憶されている地図データを読み込む。次いで、クリーン電力供給地域通過優先走行経路を検索する（Ｓ５０２）。クリーン電力供給地域通過優先走行経路とは、電動車両Ｖが現在地から目的地まで到達するように設定される走行経路であって、クリーン電力を含む電力が供給されている地域（クリーン電力供給地域）を通過する走行経路である。本実施形態では、例えば以下のようにして、ルートガイド部４４がクリーン電力供給地域通過優先走行経路を検索する。
【０１１０】
まず、ルートガイド部４４は電動車両Ｖの現在地から目的地までの最短経路を検索する。次いで、検索した最短経路を電動車両Ｖが走行したときにクリーン電力供給地域を通過するか否かを判断する。この場合において、ルートガイド部４４は、表示制御部４３が図１３のＳ４０６で色分け表示した電力供給地域のうち、クリーン度が所定値（例えば上記した基準クリーン度）以上の電力が供給されている地域として色分け表示されている地域をクリーン電力供給地域に設定することができる。そして、検索した最短経路を電動車両Ｖが走行したときに、上記のように設定したクリーン電力供給地域を通過するか否かを判断する。通過する場合、その最短経路をクリーン電力供給地域通過優先走行経路に設定する。
【０１１１】
一方、検索した最短経路を電動車両Ｖが走行したときに、クリーン電力供給地域を通過しない場合、ルートガイド部４４は、最短経路の次に距離が短い経路を検索する。そして、検索した経路を電動車両Ｖが走行する際に、クリーン電力供給地域を通過するか否かを判断する。通過する場合、その経路をクリーン電力充電供給地域通過優先走行経路に設定する。通過しない場合は、次に短い経路を検索し、上記と同様の判断を行う。
【０１１２】
上記のようにしてルートガイド部４４がクリーン電力供給地域通過優先走行経路を検索する結果、クリーン電力供給地域を通過する最短経路がクリーン電力供給地域通過優先走行経路として設定される。つまり、Ｓ５０２にて、距離優先のクリーン電力供給地域通過優先走行経路が検索される。なお、距離優先に代えて、時間優先、有料道路優先等のクリーン電力供給地域通過優先走行経路が検索されてもよい。
【０１１３】
次いで、ルートガイド部４４は、他の走行経路を検索する（Ｓ５０３）。検索する他の走行経路として、電動車両Ｖが現在地から目的地に到達するまでの距離が最も短い距離優先走行経路、電動車両Ｖが現在地から目的地に到達するまでの時間が最も短い時間優先走行経路、電動車両Ｖが現在地から目的地に到達するまでに有料道路を利用する有料道路優先走行経路、等が挙げられる。
【０１１４】
続いて、ルートガイド部４４は、走行経路選択画面を車載ディスプレイ３０に表示させる（Ｓ５０４）。走行経路選択画面には、Ｓ５０２で検索したクリーン電力供給地域通過優先走行経路およびＳ５０３で検索した他の走行経路のいずれか一つ、および、上記各走行経路を表示するための表示ボタンが表示される。表示ボタンを操作することにより、走行経路選択画面に表示される走行経路が切り替わる。
【０１１５】
図１７は、車載ディスプレイ３０に表示された走行経路選択画面を示す図である。図１７に示すように、走行経路選択画面には、電動車両Ｖの現在地と目的地Ｇとを含む地図が表示される。また、表示された地図上にルートガイド部４４が検索した走行経路が太線で重畳表示されている。また、クリーン電力供給地域通過優先走行経路を表示するための表示ボタンＢ１、時間優先走行経路を表示するための表示ボタンＢ２、距離優先走行経路を表示するための表示ボタンＢ３も、それぞれ走行経路選択画面に表示されている。この場合において、クリーン電力供給地域通過優先走行経路を表示するための表示ボタンＢ１が、他の表示ボタンＢ２，Ｂ３よりも電動車両Ｖの乗員に注目されるように、最も上側に表示される。また、走行経路選択画面の初期画面（表示ボタンＢ１，Ｂ２，Ｂ３が操作されていない走行経路選択画面）には、クリーン電力供給地域通過優先走行経路が表示される。表示ボタンＢ１，Ｂ２，Ｂ３のいずれかを電動車両Ｖの乗員が触れることにより、触れた表示ボタンに対応する走行経路が地図上に重畳表示される。表示ボタンに触れることで、その表示ボタンの背景色と文字色が反転する。これによりその表示ボタンに対応する走行経路が表示されていることが電動車両Ｖの乗員に視認される。図１７に示す場合においては、表示ボタンＢ１が触れられ、それにより走行経路選択画面の地図上にクリーン電力供給地域通過優先走行経路が重畳表示されている。
【０１１６】
また、図１７に示す走行経路選択画面に表示された地図上には、クリーン電力供給地域が非クリーン電力供給地域と区別し得る態様で色分け表示されている。この色分け表示は、表示制御部４３が図１３のＳ４０６にて実行した色分け表示処理が援用されてもよい。クリーン電力供給地域通過優先走行経路に従って電動車両Ｖが走行した場合、電動車両Ｖはクリーン電力供給地域として色分け表示された部分を通過する。
【０１１７】
ルートガイド部４４は、図１６のＳ５０４にて走行経路選択画面を車載ディスプレイ３０に表示させた後、走行経路の選択が完了したか否かを判断する（Ｓ５０５）。この場合において、図１７に示すように、走行経路選択画面には案内開始ボタンＢ４も表示されている。この案内開始ボタンＢ４に触れることにより、そのときに走行経路選択画面に重畳表示されている走行経路の選択が完了する。
【０１１８】
Ｓ５０５にて選択が完了したと判断した場合（Ｓ５０５：Ｙｅｓ）、ルートガイド部４４は、選択された走行経路を電動車両Ｖを目的地まで誘導するための誘導経路に設定し（Ｓ５０６）、設定した誘導経路にしたがって電動車両Ｖを誘導する（Ｓ５０７）。電動車両Ｖの誘導時には、表示制御部４３が図１３の表示制御ルーチンを実行することにより車載ディスプレイ３０に表示される図１５の画面中の地図上に、設定した誘導経路が太線で重畳表示される。このように地図上に重畳表示された誘導経路、および、音声案内により、電動車両Ｖが目的地まで誘導される。
【０１１９】
その後、ルートガイド部４４は、電動車両Ｖが目的地に到達したか否かを判断する（Ｓ５０８）。目的地に到達していない場合（Ｓ５０８：Ｎｏ)はＳ５０７に戻って電動車両Ｖの誘導を継続する。目的地に到達している場合（Ｓ５０８：Ｙｅｓ）は、このルーチンを終了する。
【０１２０】
このように、本実施形態によれば、ルートガイド部４４によって、クリーン電力供給地域通過優先走行経路が検索される。検索されたクリーン電力供給地域通過優先走行経路は車載ディスプレイ３０の走行経路選択画面に表示される。そして、目的地までの走行経路としてクリーン電力供給地域通過優先走行経路が選択されたときに、車載ディスプレイ３０の地図上にクリーン電力供給地域通過優先走行経路が誘導経路として表示されるとともに、表示されたクリーン電力供給地域通過優先走行経路にしたがって電動車両Ｖが目的地まで誘導される。クリーン電力供給地域通過優先走行経路にしたがって電動車両Ｖが誘導された場合、目的地に到達するまでに電動車両Ｖはクリーン電力供給地域を通過する。また、車載ディスプレイ３０に表示された地図上には、表示制御部４３による表示制御ルーチンの実行によって、クリーン電力供給地域が非クリーン電力供給地域と区別し得る態様で表示されているとともに、充電ステーションの存在位置に充電可能標識が表示されている。したがって、電動車両Ｖの乗員は通過するクリーン電力供給地域内の充電ステーションの位置を車載ディスプレイ３０上で確認することができる。また、クリーン電力供給地域内の充電ステーションにはクリーン電力を含む電力が供給されている。よって、電動車両Ｖの乗員は、クリーン電力供給地域内の充電ステーションに立ち寄り、そこでクリーン電力を含む電力を充電することができる。
【０１２１】
以上、本発明の実施形態について説明したが、本発明は上記実施形態に限定されるべきものではない。例えば、上記実施形態においては、電動車両Ｖの制御装置４０は、情報管理センタ１のデータベース２に記憶された情報が電動車両Ｖに送信されることによって、充電ステーション関連情報を取得しているが、予め制御装置４０内の記憶部４２に充電ステーション関連情報を記憶させておいてもよい。また、表示制御部４３が実行する表示制御ルーチン、ルートガイド部４４が実行するルートガイド処理ルーチンを、情報管理センタ１のコンピュータが実行し、情報管理センタ１のコンピュータにより車載ディスプレイ３０の表示制御およびルートガイドがなされてもよい。また、電動車両の乗員が携帯する情報端末機器によって表示制御ルーチンやルートガイド処理ルーチンが実行され、その情報端末機器のディスプレイに充電ステーション情報や地域情報が、クリーン電力情報やクリーン電力供給情報とともに電動車両の乗員に提供されてもよい。また、上記第１実施形態と上記第２実施形態とを組み合わせて実施することも可能である。このように、本発明は、その趣旨を逸脱しない限りにおいて、変形可能である。
【図１】
2013024521.tif 000003
【図２】
2013024521.tif 000004
【図３】
2013024521.tif 000005
【図４】
2013024521.tif 000006
【図５】
2013024521.tif 000007
【図６】
2013024521.tif 000008
【図７】
2013024521.tif 000009
【図８】
2013024521.tif 000010
【図９】
2013024521.tif 000011
【図１０】
2013024521.tif 000012
【図１１】
2013024521.tif 000013
【図１２】
2013024521.tif 000014
【図１３】
2013024521.tif 000015
【図１４】
2013024521.tif 000016
【図１５】
2013024521.tif 000017
【図１６】
2013024521.tif 000018
【図１７】
2013024521.tif 000019
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
電動車両の充電に関する情報を提供する充電情報提供装置であって、
電動車両を充電することができる充電ステーションを表す充電ステーション情報を、その充電ステーションで充電することができる電力が環境に与える負荷が低い発電方式として定義される発電方式により発電されたクリーン電力を含むか否かを表す情報であるクリーン電力情報とともに、電動車両の乗員に提供する、充電情報提供装置において、
前記充電ステーション情報は前記充電ステーションの存在位置を表す情報を含み、
地図を表示可能な表示装置に表示される地図上における前記充電ステーションの存在位置に、電動車両が充電可能な場所であることを表す充電可能標識を、その充電ステーションについての前記クリーン電力情報とともに表示することにより、前記充電ステーション情報を前記クリーン電力情報とともに電動車両の乗員に提供するとともに、
目的地までの電動車両の走行経路であってクリーン電力を含む電力を充電することができる充電ステーションであるクリーン電力充電ステーションを通過するクリーン電力充電優先走行経路を検索し、
前記表示装置に表示された地図上に前記クリーン電力充電優先走行経路を表示する、充電情報提供装置。
【請求項２】
（削除）
【請求項３】
（削除）
【請求項４】
電動車両の充電に関する情報を提供する充電情報提供装置であって、
電動車両を充電することができる充電ステーションを表す充電ステーション情報を、その充電ステーションで充電することができる電力が環境に与える負荷が低い発電方式として定義される発電方式により発電されたクリーン電力を含むか否かを表す情報であって、電動車両の充電に用いる電力に対するクリーン電力の占める割合を表すクリーン度とともに、電動車両の乗員に提供する、充電情報提供装置。
【請求項５】
請求項４に記載の充電情報提供装置において、
電動車両が乗員の自宅までの帰路を走行中であるときに、電動車両の乗員の自宅で電動車両を充電するときに用いる電力に対するクリーン電力の割合を表す自宅クリーン度よりも高いクリーン度で表わされる電力を電動車両に充電可能な高クリーン度充電ステーションを検索し、
地図を表示可能な表示装置に表示される地図上における前記高クリーン度充電ステーションの存在位置に、電動車両が充電可能な場所であることを表す充電可能標識を、その高クリーン度充電ステーションについての前記クリーン度と共に表示することにより、前記充電ステーション情報を前記クリーン電力情報とともに電動車両の乗員に提供する、充電情報提供装置。
【請求項６】
電動車両の充電に関する情報を提供する充電情報提供装置であって、
電力供給源から供給される電力が環境に与える負荷が低い発電方式として定義される発電方式により発電されたクリーン電力を含むか否かを表す情報であるクリーン電力供給情報を、その電力供給源から電力が供給される地域を表す地域情報とともに、電動車両の乗員に提供する、充電情報提供装置。
【請求項７】
請求項６に記載の充電情報提供装置において、
地図を表示可能な表示装置に表示される地図上に、クリーン電力を含む電力が前記電力供給源から供給されているクリーン電力供給地域を、クリーン電力を含まない電力が前記電力供給源から供給されている非クリーン電力供給地域と区別し得る態様で表示することにより、前記クリーン電力供給情報を前記地域情報とともに電動車両の乗員に提供する、充電情報提供装置。
【請求項８】
請求項７に記載の充電情報提供装置において、
目的地までの電動車両の走行経路であって前記クリーン電力供給地域を通過するクリーン電力供給地域通過優先走行経路を検索し、
前記表示装置に表示された地図上に前記クリーン電力供給地域通過優先走行経路を表示する、充電情報提供装置。
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
電動車両の充電に関する情報を提供する充電情報提供装置であって、
地図を表示可能な表示装置と、
前記表示装置の表示を制御する表示制御部と、
電動車両を目的地まで誘導するルートガイド部と、を備え、
前記表示制御部が、
電動車両を充電することができる充電ステーションの存在位置を表す情報を含む充電ステーション情報を、その充電ステーションで充電することができる電力が環境に与える負荷が低い発電方式として定義される発電方式により発電されたクリーン電力を含むか否かを表す情報であるクリーン電力情報とともに取得する処理と、
前記表示装置に表示される地図上における前記充電ステーションの存在位置に、電動車両が充電可能な場所である充電可能標識が、その充電ステーションについての前記クリーン電力情報とともに表示されるように前記表示装置の表示を制御する処理と、を実行し、
前記ルートガイド部が、
目的地までの電動車両の走行経路であってクリーン電力を含む電力を充電することができる充電ステーションであるクリーン電力充電ステーションを通過するクリーン電力充電優先走行経路を検索する処理と、
検索した前記クリーン電力充電優先走行経路を前記表示装置に表示する処理と、を実行する、充電情報提供装置。
【請求項２】
電動車両の充電に関する情報を提供する充電情報提供装置であって、
地図を表示可能な表示装置と、
前記表示装置の表示を制御する表示制御部と、を備え、
前記表示制御部が、
電動車両を充電することができる充電ステーションの存在位置を表す情報を含む充電ステーション情報を、その充電ステーションで充電することができる電力が環境に与える負荷が低い発電方式として定義される発電方式により発電されたクリーン電力を含むか否かを表す情報であって、電動車両の充電に用いる電力に対するクリーン電力の占める割合を表すクリーン度と共に取得する処理と、
前記表示装置に表示される地図上における前記充電ステーションの存在位置に、電動車両が充電可能な場所である充電可能標識が、その充電ステーションについての前記クリーン度とともに表示されるように前記表示装置の表示を制御する処理と、を実行する、充電情報提供装置。
【請求項３】
請求項２に記載の充電情報提供装置において、
電動車両が乗員の自宅までの帰路を走行中であるときに、前記表示制御部が、
電動車両の乗員の自宅で電動車両を充電するときに用いる電力に対するクリーン電力の割合を表す自宅クリーン度よりも高いクリーン度で表される電力を電動車両に充電可能な高クリーン度充電ステーションを検索する処理と、
前記表示装置に表示される地図上における前記高クリーン度充電ステーションの存在位置に、電動車両が充電可能な場所であることを表す充電可能標識が、その高クリーン度充電ステーションについての前記クリーン度と共に表示されるように前記表示装置の表示を制御する処理と、を実行する、充電情報提供装置。
【請求項４】
電動車両の充電に関する情報を提供する充電情報提供装置であって、
地図を表示可能な表示装置と、
前記表示装置の表示を制御する表示制御部と、を備え、
前記表示制御部が、
電力供給源から供給される電力が環境に与える負荷が低い発電方式として定義される発電方式により発電されたクリーン電力を含むか否かを表す情報であるクリーン電力供給情報を、その電力供給源から電力が供給される地域を表す地域情報とともに取得する処理と、
前記表示装置に表示される地図上に、クリーン電力を含む電力が前記電力供給源から供給されているクリーン電力供給地域が、クリーン電力を含まない電力が前記電力供給源から供給されている非クリーン電力供給地域と区別し得る態様で表示されるように、前記表示装置を制御する処理と、を実行する、充電情報提供装置。
【請求項５】
請求項４に記載の充電情報提供装置において、
電動車両を目的地まで誘導するルートガイド部を備え、
前記ルートガイド部が、
目的地までの電動車両の走行経路であって前記クリーン電力供給地域を通過するクリーン電力供給地域通過優先走行経路を検索する処理と、
前記表示装置に表示される地図上に前記クリーン電力供給地域通過優先走行経路を表示する処理と、を実行する、充電情報提供装置。
【国際調査報告】
2013024521.tif 000020
2013024521.tif 000021
2013024521.tif 000022
2013024521.tif 000023
2013024521.tif 000024